(57)【要約】【課題】子機のIDの誤登録を防止するとともに、IDの登録作業が容易となる無線通信システムを提供する。【解決手段】親機２と、親機２との間で無線通信する複数の子機１及び記憶装置２３を備えており、記憶装置２３は、通信拒否の対象である子機のIDが登録された拒否リストを有しており、親機は、拒否リストに登録された子機とは通信しないようになしており、記憶装置２３は、通信許可の対象となる子機１のIDが登録された許可リストを有しており、親機２は、許可リスト及び拒否リストのどちらにも登録されていないIDを受信した場合に、受信したIDを許可リスト或いは拒否リストに登録する作業を開始するようになしている。【選択図】図１
2008077529.tif 000002
【特許請求の範囲】
【請求項１】
親機と、親機との間で無線通信する複数の子機及び記憶装置を備えており、記憶装置は、通信拒否の対象である子機のIDが登録された拒否リストを有しており、親機は、拒否リストに登録された子機とは通信しないようになしたことを特徴とする無線通信システム。
【請求項２】
記憶装置は、通信許可の対象である子機のIDが登録された許可リストを有しており、親機は、許可リスト及び拒否リストのどちらにも登録されていないIDを受信した場合に、受信したIDを許可リスト或いは拒否リストに登録する作業を開始するようになしたことを特徴とする請求項１記載の無線通信システム。
【請求項３】
子機は、子機の動作電力を供給する電池を有しており、電池が装着されると同時に一定時間、自己のIDを送信するようになしたことを特徴とする請求項１又は２記載の無線通信システム。
【発明の詳細な説明】
【技術分野】
【０００１】
本願発明は、親機と複数の子機で構成され、親機と複数の子機との間で特定小電力や無線LAN等により無線通信するようになした無線通信システムに関するものである。
【背景技術】
【０００２】
従来から、特開２００５−３３８９２０号公報（特許文献１）に示されるように、親機と複数の子機との間で無線通信する無線通信システムは知られている。この無線通信システムは、図２に示すように、防犯センサからなる複数の子機９１と、子機９１と無線通信する親機９２とで構成されている。複数の子機９１は、建物内の監視エリアごとに区分されて設置されており、各子機９１は固有のIDを有している。親機９２には、通信が許可された子機９１のIDが登録されており、許可登録されたIDを有する子機９１のみと通信できるようになっている。
【０００３】
したがって、子機９１は異常を感知すると鳴動音を出力するとともに自己のIDを含む異常感知信号を親機９２へと送信する。ID及び異常感知信号を受信した親機９２は、通信が許可されたIDであることを確認した後、鳴動音を出力したり外部に通報したりする等の所定の処理動作をする。
【特許文献１】特開２００５−３３８９２０号公報
【発明の開示】
【発明が解決しようとする課題】
【０００４】
しかしながら、上記従来例である無線通信システムにあっては、IDを登録する際に、親機９２が隣の建物に設置された子機９１との間で無線通信することで、関係ない子機９１のIDを親機９２に誤登録してしまう可能性があった。又、新規に子機９１を登録する際には、親機９２を操作することで登録モードに切り換えて、子機９１から登録要求信号を送信させる等の作業を行う必要があり、特に親機９２から離れた位置に子機９１を設置する場合には面倒な作業であった。
【０００５】
本願発明は、上記背景技術に鑑みて発明されたものであり、その課題は、子機のIDの誤登録を防止するとともに、IDの登録作業が容易となる無線通信システムを提供することである。
【課題を解決するための手段】
【０００６】
上記課題を解決するために、本願請求項１記載の発明では、親機と、親機との間で無線通信する複数の子機及び記憶装置を備えており、記憶装置は、通信拒否の対象である子機のIDが登録された拒否リストを有しており、親機は、拒否リストに登録された子機とは通信しないようになしている。
【０００７】
又、本願請求項２記載の発明では、上記請求項１記載の無線通信システムにおいて、記憶装置は、通信許可の対象である子機のIDが登録された許可リストを有しており、親機は、許可リスト及び拒否リストのどちらにも登録されていないIDを受信した場合に、受信したIDを許可リスト或いは拒否リストに登録する作業を開始するようになしたことを特徴としている。
【０００８】
又、本願請求項３記載の発明では、上記請求項１又は２記載の無線通信システムにおいて、子機は、子機の動作電力を供給する電池を有しており、電池が装着されると同時に一定時間、自己のIDを送信するようになしたことを特徴としている。
【発明の効果】
【０００９】
本願請求項１記載の無線通信システムにおいては、拒否リストに登録された子機とは通信しないようになしているため、隣の建物に設置された子機等の関係ない子機から通信を受けた場合に、その子機のIDを拒否リストに登録しておくことで、親機が関係ない子機と通信して誤作動を起こすのを防ぐことができる。
【００１０】
又、本願請求項２記載の無線通信システムにおいては、許可リスト及び拒否リストにIDを登録することで、親機はどちらにも登録されていないIDを受信した場合に、そのIDが新しく設置された子機のIDと認識することが可能になる。更に、親機は新しく設置された子機のIDを認識すると、自動的にIDの登録作業を開始するようになっている。
【００１１】
したがって、親機を操作して登録モードに切り換える作業が必要なくなるため、IDの登録作業を容易にすることができる。又、子機は親機に対して登録要求のための信号を送信する必要はなく、IDを送信するだけで親機においてID登録がなされるため、構成を単純化して子機のコストを落とすことが可能になる。
【００１２】
又、本願請求項３記載の無線通信システムにおいては、子機は電池が装着されると同時に一定時間、自己のIDを送信するようになしているため、IDの登録作業が容易になると共に、自己のIDを送信させるための登録ボタンのようなものが不要になるため、さらに子機のコストを落とすことが可能になる。
【発明を実施するための最良の形態】
【００１３】
図１は、本願請求項１〜３に対応した一実施形態である無線通信システムを示している。この無線通信システムは、親機２と、親機２との間で無線通信する複数の子機１及び記憶装置２３を備えており、記憶装置２３は、通信拒否の対象である子機のIDが登録された拒否リストを有しており、親機は、拒否リストに登録された子機とは通信しないようになしてしている。
【００１４】
又、記憶装置２３は、通信許可の対象となる子機１のIDが登録された許可リストを有しており、親機２は、許可リスト及び拒否リストのどちらにも登録されていないIDを受信した場合に、受信したIDを許可リスト或いは拒否リストに登録する作業を開始するようになしている。更に、子機１は、子機１の動作電力を供給する電池１５を有しており、電池１５が装着されると同時に一定時間、自己のIDを送信するようになしている。
【００１５】
以下、この実施形態の無線通信システムを、より具体的詳細に説明する。図１に示すように、この実施形態の無線通信システムは、建物の複数個所に設置されたワイヤレス防犯センサである子機１と、子機１と無線通信する親機２とからなり、建物内の監視を行うシステムとして利用される。
【００１６】
子機１は、親機２と無線通信する子機無線通信部１１と、CPU等で構成され子機１全体の動作を制御する子機制御部１２と、異常を感知するセンサ部１３と、子機スピーカ１４と、電池１５とを備えている。センサ部１３としては、例えば、ドアや窓の開閉を検知するマグネットセンサ、ガラスの破壊音や振動を検知するガラス破壊センサ、人体検知用の熱線センサ、煙感知器、熱感知器等の用途に応じた様々なセンサを用いることができる。子機１は、センサ部１３で異常を感知すると、子機スピーカ１４から鳴動音を出力すると共に、子機無線通信部１１から親機２へと異常感知信号を送信する。ここで、全ての子機１は固有のIDを有しており、異常を感知した場合は異常感知信号と自己のIDとを親機２へと送信するようになっている。
【００１７】
又、子機１は電池１５からの電力供給を受けて動作しており、子機制御部１２は子機１に電池１５が挿入されて電力供給を受けると同時に、一定時間親機２へと自己のIDを送信するようになっている。ここで、子機１の送信したIDが新しいIDであれば親機２において後述するIDの登録作業がなされる。
【００１８】
親機２は、子機１と無線通信する親機無線通信部２１と、CPU等で構成され親機２全体の動作を制御する親機制御部２２と、IDが登録されている記憶装置２３と、親機スピーカ２４と、操作部２５と、表示部２６とを備えている。記憶装置２３は、親機２と一体に備えられており、通信を許可する子機１のIDが登録された許可IDリストと、通信を拒否する子機１のIDが登録された拒否IDリストとを有している。
【００１９】
操作部２５は、ユーザーが操作することで、警戒のセットや解除、通報先の設定等の種々の動作設定を行うものである。親機２で設定された警戒のセットや解除の操作は、子機１と通信することで子機１に反映させることも可能である。子機１の警戒が解除されると、子機１はセンサ部１３を動作させないか、或いは、センサ部１３で異常を検知しても親機２と通信したり鳴動音を出力したりはしない。
【００２０】
警戒がセットされた状態において、親機無線通信部２１で子機１からのID及び異常感知信号を受信すると、親機制御部２２は、受信したIDと記憶装置２３に登録されたIDとを照合し、異常感知された子機１を特定する。受信したIDが許可リストに登録されたIDであった場合は、特定した子機１の情報を表示部２６に表示させ、親機スピーカ２４からは鳴動音が出力される。又、操作部２５において通報の設定がされていた場合は、設定された通報先に対して通報がなされる。
【００２１】
受信したIDが拒否リストに登録されたIDであった場合は、異常感知信号を無視するか、或いは、拒否リストに登録された子機１から異常感知信号を受信した旨を表示部２６に表示させてもよい。受信したIDが許可リストにも拒否リストにも登録されていないIDであった場合は、親機制御部２２によってIDの登録作業が開始されるようになっている。
【００２２】
次に親機制御部２２によるIDの登録作業について説明する。まず、親機制御部２２において、受信したIDが許可リストにも拒否リストにも登録されていないIDであることを認識すると、親機スピーカ２４部から音声を出力したり、表示部２６に表示させたりすることで、新しい子機１が検出された旨をユーザーに通知をする。通知を受けたユーザーは、操作部２５を操作して検出された子機１を許可リスト或いは拒否リストのどちらか一方に登録する。新規に設置した子機１のIDであれば許可リストに登録することになるが、例えば、隣の建物の子機１からの通信を受けてしまった場合等の関係ない子機１のIDであれば拒否リストに登録して、通信を拒否することができる。
【００２３】
なお、図１には、記憶装置２３が親機２と一体になって備えられている構成を示しているが、記憶装置２３は、親機２とは別体であって、外部のサーバーに備えられた構成であってもよい。この場合、親機２は、記憶装置２３を備えたサーバーと通信することで、上記親機２と同様の動作を行うことが可能である。
【００２４】
又、記憶装置２３の記憶内容（許可リスト或いは拒否リスト）を前記サーバーと接続されたサービスセンター等の外部の編集機器（パーソナルコンピュータなど）において編集し、この内容を記憶装置２３にアップロードすることが望ましい。このようにすれば、記憶装置２３の記憶内容（許可リスト或いは拒否リスト）をサービスセンター等の外部の編集機器（パーソナルコンピュータ等）において単独で作成できるため、記憶装置２３の記憶内容（許可リスト或いは拒否リスト）の記録内容（登録対象機器の指定情報など）が仮に誤っていたり、更新を要求される情報であったりしても、これらの情報を早期に訂正又は更新できるので、親機２側の使用者や契約者に、スピーディなサービスを提供できることになる。
【００２５】
したがって、この実施形態の無線通信システムにおいては、拒否リストに登録された子機１とは通信しないようになしているため、隣の建物に設置された子機１等の関係ない子機１から通信を受けた場合に、その子機１のIDを拒否リストに登録しておくことで、親機２が関係ない子機１と通信して誤作動を起こすのを防ぐことができる。
【００２６】
又、許可リスト及び拒否リストにIDを登録することで、親機２はどちらにも登録されていないIDを受信した場合に、そのIDが新しく設置された子機１のIDと認識することが可能になる。更に、親機２は新しく設置された子機１のIDを認識すると、自動的にIDの登録作業を開始するようになっている。
【００２７】
よって、親機２を操作して登録モードに切り換える作業が必要なくなるため、IDの登録作業を容易にすることができる。又、子機１は親機２に対して登録要求のための信号を送信する必要はなく、IDを送信するだけで親機２においてID登録がなされるため、構成を単純化して子機１のコストを落とすことが可能になる。
【００２８】
又、子機１は電池１５が装着されると同時に一定時間、自己のIDを送信するようになしているため、IDの登録作業が容易になると共に、自己のIDを送信させるための登録ボタンのようなものが不要になるため、さらに子機１のコストを落とすことが可能になる。
【図面の簡単な説明】
【００２９】
【図１】本願発明の一実施形態である無線通信システムを示すブロック図。
【図２】従来例である無線通信システムの構成図。
【符号の説明】
【００３０】
１  子機
２  親機
15  電池
【図１】
2008077529.tif 000003
【図２】
2008077529.tif 000004